(57)【特許請求の範囲】
【請求項１】
使用者の身体を受ける身体受け面を有するマッサージ機本体と、
前記身体受け面の裏側に位置して前記マッサージ機本体に組込まれた１以上の合成樹脂製身体サポート用空気袋と、
この空気袋とは別に前記身体受け面の裏側に位置し、かつ、前記身体サポート用空気袋の前面側に重ねて前記マッサージ機本体に組込まれ、前記身体サポート用空気袋より小さく形成されて前記身体サポート用空気袋の膨脹に連動して前記身体に対する距離が変わるように移動される合成樹脂製マッサージ用空気袋と、
前記身体サポート用空気袋を膨脹させるとともにその任意な膨脹状態を保持させる膨脹保持手段を有し、かつ、前記マッサージ用空気袋を移動させる前記身体サポート用空気袋を膨脹させてその膨脹を保持した状態で、前記マッサージ用空気袋を繰返し膨脹・収縮させてマッサージを行わせるエアー給排気装置と、
前記身体サポート用空気袋と前記マッサージ用空気袋との間に配設され、これら両空気袋を互いに非接触とする緩衝シートと、
を具備したエアーマッサージ機。
【発明の詳細な説明】
【０００１】
【発明の属する技術分野】
本発明は、椅子やマット等に組込まれてエアーが給排気される空気袋の膨脹・収縮の繰返しにより、椅子やマット等に支持された使用者に対するマッサージを行うエアーマッサージ機に関する。
【０００２】
【従来の技術】
多数の空気袋の膨脹・収縮を利用してマッサージを行うマット式及び椅子式のエアーマッサージ機は従来より多種提供されている。これらのマッサージ機が備える空気袋は、マッサージ専用で、いずれも予め指定された順序或いは使用者が指定した順序等にしたがって膨脹・収縮を繰返して使用されるものである。
【０００３】
このような空気袋を備えるエアーマッサージ機は、その全ての空気袋を膨脹させない状態、つまり、非マッサージ状態では、マッサージ機としてではなく通常の椅子又はマット等として使用される。
【０００４】
ところで、通常の椅子又はマット等としての使用時の使用感を向上させることについては、従来何らの配慮も講じられていない。したがって、例えば椅子を例に説明すれば、この椅子に寄り掛かって支持された使用者の上半身と背凭れ部との間には、腰部や首肩部がなす上半身のくびれに対応する部分に隙間ができることは避けられないから、前記上半身を支持する背凭れ部の上半身に対するフィット感がよくなく、その改善が使用感向上のために望まれている。
【０００５】
一方、使用者の上半身のくびれに対応する固定のサポート凸部、すなわち、背凭れ部に予め前方へ膨出する部分を設けて、前記フィット感の向上を意図した椅子等も提供されている。しかし、マッサージ機の使用者の体格には個人差が大きいため、使用者各人に対していずれも適正なフィット感を得ることは難しいだけではなく、前記サポート凸部の突出の程度と使用者の体格との不適合を生じることがあり、その場合にはかえって使用感が損なわれるという問題がある。
【０００６】
【発明が解決しようとする課題】
本発明が解決しようとする課題は、非マッサージ状態での使用感を向上できるエアーマッサージ機を得ることにある。
【０００７】
【課題を解決するための手段】
前記課題を解決するために、請求項１の発明は、使用者の身体を受ける身体受け面を有するマッサージ機本体と、前記身体受け面の裏側に位置して前記マッサージ機本体に組込まれた１以上の合成樹脂製身体サポート用空気袋と、この空気袋とは別に前記身体受け面の裏側に位置し、かつ、前記身体サポート用空気袋の前面側に重ねて前記マッサージ機本体に組込まれ、前記身体サポート用空気袋より小さく形成されて前記身体サポート用空気袋の膨脹に連動して前記身体に対する距離が変わるように移動される合成樹脂製マッサージ用空気袋と、前記身体サポート用空気袋を膨脹させるとともにその任意な膨脹状態を保持させる膨脹保持手段を有し、かつ、前記マッサージ用空気袋を移動させる前記身体サポート用空気袋を膨脹させてその膨脹を保持した状態で、前記マッサージ用空気袋を繰返し膨脹・収縮させてマッサージを行わせるエアー給排気装置と、前記身体サポート用空気袋と前記マッサージ用空気袋との間に配設され、これら両空気袋を互いに非接触とする緩衝シートと、を具備したものである。
【０００８】
この発明において、マッサージ機本体としては、マット式エアーマッサージ機のマット部、または椅子式エアーマッサージ機の背凭れ付き椅子本体を用いることができ、又、エアー給排気装置の膨脹保持手段としては、エアーポンプから空気袋に至る空気導管を開閉する電磁式開閉弁、又は前記開閉を行うとともに空気袋から大気中への排気を行わせるポートを有した電磁式３方切換え弁等の電磁弁を使用できる。この発明において、緩衝シートには柔軟性等を有する発泡ウレタン樹脂のシート、又はナイロンや四弗化エチレン系等の滑性の高い硬質等のシートを用いることができる。このシートは身体サポート用空気袋又はマッサージ用空気袋に接着により貼り付けて設けたり、或いはこれら空気袋の支持基板に一端を取付ける等により両空気袋間に介在させて設けることができる。
【０００９】
この請求項１の発明においては、マッサージ用空気袋とは別にマッサージ機本体に設けた１以上の身体サポート用空気袋を、エアー給排気装置で膨脹させるとともに、その任意な膨脹状態をエアー給排気装置の膨脹保持手段で保持できる。そのため、マッサージ機本体に支持された使用者に対して、使用者が望む膨脹程度まで身体サポート用空気袋を身体受け面側に膨脹させて、例えば使用者の裏側のくびれなどに適合するようにマッサージ機本体の身体受け面を使用者側に押出し、それにより、使用者の体格に応じたフィット感を使用者に与えることができる。そして、マッサージ用空気袋は、前記のように身体サポート用空気袋を膨脹保持させてフィット感を得た状態で、エアー給排気装置によって膨脹・収縮を繰返すので、その膨脹時に身体受け面を使用者側に押出して使用者を圧迫し、かつ、その後の収縮により前記圧迫を解消して使用者を弛緩させ、この繰返しによってエアーマッサージを行う。
【００１３】
このエアーマッサージにおいては、身体サポート用空気袋を膨脹させて使用者に対して身体受け面を適合させることに伴い、マッサージ用空気袋を同時に使用者の身体側に動かすことができる。そのため、マッサージ用空気袋を身体のより近い位置に配置して、その位置でのマッサージ用空気袋の膨脹・収縮の繰返しにより身体をエアーマッサージすることができる。この場合に、身体サポート用空気袋にマッサージ用空気袋が重なり合うように配置されていて、マッサージ用空気袋が膨脹したときに、両空気袋を互いの最大膨脹部が接触し合うような相互関係位置とすることは、マッサージ用空気袋の膨脹を確実に身体サポート用空気袋で支持して、マッサージ用空気袋の膨脹力を有効に身体に与え得る点で望ましい。
【００１７】
空気袋は一般的にポリプロピレンやポリエチレン等の合成樹脂製であるので、それらが直接接触している場合には、マッサージ用空気袋が膨脹するとき等に互いに重なっている空気袋が擦れ合い、それに伴って耳障りな音が発生する恐れがある。しかし、この発明では身体サポート用空気袋とマッサージ用空気袋との間に緩衝シートを設けたので、互いに直接擦れ合うことがなくなり、耳障りな音が発生を防止できる。
【００１９】
更に、この発明によれば、マッサージ用空気袋を繰返し膨脹・収縮させる以前に、身体サポート用空気袋を膨脹させてフィット感を得るので、マッサージ用空気袋の膨脹・収縮に邪魔されることなく、容易かつ適正なフィット感を得易い。しかも、身体サポート用空気袋の膨脹下でこれに重なっているマッサージ用空気袋を動作させるので、それ以前又はエアーマッサージの最中に、身体サポート用空気袋の膨脹の程度を変えることにより、エアーマッサージの強さを好みに合わせ調整できる。
【００２４】
【発明の実施の形態】
以下、図１〜図３を参照して本発明の第１の実施の形態を説明する。
【００２５】
図１は第１実施形態に係る椅子式のエアーマッサージ機Ａ全体をそのシートカバーの一部を切り欠いて示す斜視図であって、この図中符号１はマッサージ機本体としての椅子本体で、座部２と、この座部２の後側に立てて設けられた背凭れ部３と、座部２の両側に立てて設けられた肘掛け部４とを備えている。
【００２６】
図示の背凭れ部３はリクライニングできないように固定されているが、図示しないリクライニング装置によりリクライニング動作可能に設けられていてもよい。座部２の表面及び背凭れ部３の表面は夫々別のシートカバー５又は６で覆われている。これらシートカバー５、６は柔軟性を有しており、椅子本体１の身体受け面として使用されている。
【００２７】
座部２の前部側、詳しくは、座部２に座った使用者の腿に対応する位置には、幅方向に延びる第１の身体サポート用空気袋１１が組込まれている。この空気袋１１はシートカバー５で覆い隠されている。又、使用者の上半身を支持する背凭れ部３には、第２、第３の身体サポート用空気袋１２、１３が夫々幅方向に延びて組込まれているとともに、複数例えば二個のマッサージ用空気袋１４が組込まれている。なお、１４ａは両空気袋１４を連結しているシート部分である。これらの空気袋１２〜１４はいずれもシートカバー６で覆い隠されている。各空気袋１１〜１４は、いずれもポリプロピレンやポリエチレン等の合成樹脂製であって、いずれも図２に示す第２の身体サポート用空気袋１２で代表して示すように、座部２及び背凭れ部３が個別に有する支持基板１６に取付けられている。
【００２８】
第２、第３の身体サポート用空気袋１２、１３は使用者の上半身の裏側のくびれに対応する位置に配置されている。詳しくは、第２の身体サポート用空気袋１２は使用者の腰部のくびれに対応して背凭れ部３の下部に配置され、第３の身体サポート用空気袋１３は使用者の首肩のくびれに対応して背凭れ部３の上部に配置されている。
【００２９】
一対のマッサージ用空気袋１４は、前記各身体サポート用空気袋１１〜１３のうち少なくとも第２の身体サポート用空気袋１２の前面側、言い換えれば、シートカバー６側に重ねて配置されている。しかも、これらの空気袋１４は第２の身体サポート用空気袋１２の長手方向（言い換えれば背凭れ部３の幅方向）に間隔を空けて設けられ、それにより、これらマッサージ用空気袋１４が使用者の背骨に対して圧迫を与えることがないように配置されている。こうして積層された空気袋１２、１４間には、これらが接触し合わないように発泡ウレタン等からなり柔軟性を有する緩衝シート１７が挟まれている。このシート１７の上側の縁部は前記支持基板１６に固定されている。
【００３０】
図１に示されるように座部２が有する横架板２ａ上には、前記各空気袋１１〜１４に対する空気の給排気及び給気に伴う膨脹状態の保持等を担うエアー給排気装置２１が搭載されている。この装置２１には椅子本体１に座った使用者により操作される操作部としてのリモートコントローラ２３を介して必要な運転指令が与えられる。リモートコントローラ２３は、図示しないがエアーマッサージの開始、終了、及びモード選択等のマッサージ用の各種操作釦と、椅子本体１に対する使用者のフィット感を得るためのサポート調節の開始、終了等のサポート用の各種操作釦等を有している。
【００３１】
図３に示すようにエアー給排気装置２１は、例えば電磁駆動によりダイアフラムを動かしてポンプ作動を営むエアーポンプ２５と、このポンプ２５の吐出し口に接続されて吐出し空気流の脈動を吸収するためのエアータンク２６と、このタンク２６の第１出口２６ａに接続されたエアーチューブ等からなる第１〜第４の空気導管２７〜３０と、エアータンク２６の第２出口２６ｂに接続された排気管３１と、各空気導管２７〜３０の途中に個別に取付けられた第１〜第４の電磁弁３２〜３５と、排気管３１の途中に取付けられた電磁弁３６と、制御手段３７とを備えている。
【００３２】
第１空気導管２７の先端は第１の身体サポート用空気袋１１に接続され、第２空気導管２８の先端は第２の身体サポート用空気袋１２に接続され、第３空気導管２９の先端は第３の身体サポート用空気袋１３に接続されている。第４空気導管３０の先端側は二股状に分岐されており、夫々の先端は一対のマッサージ用空気袋１４に夫々接続されている。排気管３１の先端は大気中に開放されている。
【００３３】
各電磁弁３２〜３６にはいずれも電磁式の開閉弁が使用されている。これら電磁弁３２〜３６の開弁状態では、エアータンク２６から空気袋１１〜１４に向けての空気の流れ、又はこれと逆方向の空気の流れを許し、又、閉弁状態では前記空気の流れを阻止する。したがって、身体サポート用空気袋１１〜１３に個別に対応する第１〜第３の電磁弁３２〜３４は、いずれも後述の制御により、第１〜第３の身体サポート用空気袋１１〜１３の膨脹状態を保持する膨脹保持手段として使用されるようになっている。各電磁弁３２〜３６の初期状態はいずれも閉弁状態である。
【００３４】
エアーマッサージ機Ａ全般の制御を担ってその給排気動作を制御するエアー給排気装置２１の制御手段３７は、マイクロコンピュータからなる。この制御手段３７は、これに接続されたリモートコントローラ２３での操作入力で指定された各種の運転指令に応じて、エアーポンプ２５の起動と停止とを制御するとともに、前記各電磁弁３２〜３６の開閉動作を制御するようになっている。
【００３５】
前記構成の椅子式エアーマッサージ機Ａは以下のように使用される。すなわち、使用者が椅子本体１に腰掛けた状態で椅子本体１とのフィット感を得ようとする場合には、リモートコントローラ２３において腰部等のフィット感を得ようとする身体サポート用空気袋に対応するサポート用操作釦を操作すればよい。
【００３６】
そうすると、例えば腰部のフィット感を得る場合について代表して説明するが、エアーポンプ２５の運転が開始されるとともに、身体Ｂの腰部に対応する位置に配置された第２の身体サポート用空気袋１２につながっている第２電磁弁３３が開かれて（なお、この給気段階では、他の全ての電磁弁３２、３４〜３６はいずれも閉じられている。）、この弁３５を通った圧縮空気が第２の身体サポート用空気袋１２に供給される。この給気に伴い、第２の身体サポート用空気袋１２がシートカバー６側に膨脹して、その前面に重なっていて収縮状態にある一対のマッサージ用空気袋１４をシートカバー６側に押し動かすため、図２（Ａ）の状態から図２（Ｂ）に示すように第２の身体サポート用空気袋１２が、その膨脹に伴い一対のマッサージ用空気袋１４及びシートカバー６を間に挟んで使用者の腰部裏側のくびれに押付けられる。
【００３７】
そして、使用者が前記押付けを適当と感知した状態で、リモートコントローラ２３の前記サポート用操作釦の押圧状態を解除又はサポート停止用操作釦を押すことにより、第２電磁弁３３が閉じて前記膨脹状態に第２の身体サポート用空気袋１２が保持されるとともに、エアーポンプ２５の運転が停止される。それにより、第２の身体サポート用空気袋１２を使用者の腰部に適合するように膨脹させて、使用者の好みとするフィット感を得ることができる。なお、このようなサポート位置の調節は、次に前記サポート用操作釦が操作されるまでは保持される。
【００３８】
又、その他の位置に配置された第１、第３の身体サポート用空気袋１１、１３についても、必要に応じて以上の手順でそれらを膨脹させて任意の膨脹状態に保持させて、首肩部及び腿部に対してそれらの裏側から第１、第３の身体サポート用空気袋１１、１３を個別にフィットさせることができる。
【００３９】
したがって、以上の手順により各身体サポート用空気袋１１〜１３のうちの１以上の空気袋を膨脹させて任意の膨脹状態に保持することにより、使用者の体形の違いに拘らず、椅子本体１の座部２及び背凭れ部３を使用者の下半身及び上半身にフィットさせることができる。そのため、使用者は椅子本体１に対して以上のようなフィット感を得て椅子本体１に腰掛けることができるので、快適な座り心地を得てリラックスすることができる。
【００４０】
エアーマッサージをする場合には、以上のようにフィット感を得た状態でリモートコントローラ２３のマッサージ用操作釦を操作すればよい。
【００４１】
そうすると、エアーポンプ２５が運転されるとともに、第４の電磁弁３５がマッサージ期間が終了するまで開き状態に保持される（この場合、その他の電磁弁３２〜３４、３６はいずれも閉じている。）に伴い、エアーポンプ２５から吐出された圧縮空気がエアータンク２６及び第４空気導管３０を通って一対のマッサージ用空気袋１４に夫々供給されるので、これら空気袋１４が図２（Ｃ）に示すように膨脹して使用者の身体Ｂを圧迫する。
【００４２】
そして、所定時間後には、エアーポンプ２５の運転が停止されると同時に、排気用電磁弁３６が開かれるので、一対のマッサージ用空気袋１４から流出する空気が第４空気導管３０を通ってエアータンク２６に逆流し、このタンク２６から電磁弁３６を通って大気中に放出される。それに伴い一対のマッサージ用空気袋１４が収縮し、したがって、それに伴い使用者の前記圧迫箇所が弛緩される。以上のような空気袋１４に対するエアーの供給と排気とが所定のマッサージ期間にわたって所定回数繰返されて、エアーマッサージが行われる。
【００４３】
しかも、以上のように第２の身体サポート用空気袋１２の膨脹が保持された状態下でこれに重なっているマッサージ用空気袋１４を膨脹・収縮させてエアーマッサージをするので、それ以前又はエアーマッサージの最中にリモートコントローラ２３での操作入力にしたがって、第２の身体サポート用空気袋１２の膨脹の程度を変えることにより、エアーマッサージの強さを好みに合わせ調整できる。
【００４４】
なお、以上のエアーマッサージは、第１〜第３の各身体サポート用空気袋１１〜１３を全て収縮させた状態でも行うことができる。しかし、既述のようにマッサージ用空気袋１４を移動させる第２の身体サポート用空気袋１２を膨脹保持した状態下で、マッサージ用空気袋１４を膨脹・収縮させてマッサージを行わせるので、マッサージ用空気袋１４の膨脹・収縮に邪魔されることなく、マッサージ用空気袋１４を膨脹・収縮させる以前に、第２の身体サポート用空気袋１２を膨脹させてフィット感を得ることができ、それにより、容易かつ適正なフィット感を得易い。
【００４５】
そして、前記エアーマッサージにおいては、それ用の空気袋１４が一対であって、これらを背凭れ部３の幅方向に沿って間隔的に配置したから、これら空気袋１４の夫々の膨脹を使用者の体形に適合させ易く、したがって、良好なマッサージができる。特に、一対のマッサージ用空気袋１４を使用者の背骨を避けるように間隔を空けて並設したので、これらのマッサージ用空気袋１４で背骨を圧迫することなくエアーマッサージができる。しかも、マッサージ用空気袋１４が一対であるから、膨脹した両空気袋１４が、互いの間で使用者の身体Ｂの一部を掴むように作用するから、この点においても良好なマッサージができる。
【００４６】
又、既述のように第２の身体サポート用空気袋１２を膨脹保持させると、それに伴ってマッサージ用空気袋１４をシートカバー６側に移動させて、これらマッサージ用空気袋１４を背凭れ部３に寄り掛った身体Ｂに対してより近い位置に配置できる。そして、この位置でマッサージ用空気袋１４を膨脹・収縮させて身体をマッサージできるので、その効果が高い。
【００４７】
しかも、マッサージ用空気袋１４をこれを移動させる第２の身体サポート用空気袋１２よりもシートカバー６側に配設したので、前記エアーマッサージにおいて、マッサージ用空気袋１４の膨脹に伴う使用者の身体Ｂへの圧迫力を身体サポート用空気袋１２を間に介することなく直接的に身体Ｂに与えることができる。したがって、マッサージ効果を向上できる。
【００４８】
更に、膨脹保持された第２の身体サポート用空気袋１２の前側に重なるように配置されて膨脹・収縮するマッサージ用空気袋１４と前記空気袋１２とは、同材質で形成されるが、これらの間には緩衝シート１７を介装して両空気袋１２、１４を非接触としたから、マッサージ用空気袋１４がその膨脹時に第２の身体サポート用空気袋１２と擦れ合うことがない。そのため、第２の身体サポート用空気袋１２とマッサージ用空気袋１４との擦れ合いによる耳障りな音が発生することを防止しつつ、エアーマッサージができる。
【００４９】
図４は本発明の第２の実施の形態を示している。この実施の形態は基本的には前記第１実施形態と同様な構成であるので、同様構成部分には前記第１実施形態と同じ符号を付して、その構成および作用の説明を省略し、以下異なる部分について説明する。第２実施形態が第１実施形態と異なる部分は、エアー給排気装置の制御手段による空気袋１２、１４の膨脹順序である。
【００５０】
すなわち、この第２実施形態においてエアー給排気装置２１の制御手段３７は、椅子本体１経の座り心地（フィット感）を調節するにあたり、図４（Ａ）に示すように互いに重なっている両空気袋１２、１４がいずれも収縮した状態から、エアーポンプを動作させるとともに第４の空気導管３０に介装された電磁弁３５を開いてマッサージ用空気袋１４を膨脹させるとともに、その膨脹状態を図４（Ｂ）に示すように保持する。この保持は前記電磁弁３６を閉じることで行う。次に、制御手段３７は、再びエアーポンプを動作させるとともに第２空気導管２８に介装された第２の電磁弁３３を開いて第２の身体サポート用空気袋１２を膨脹させる。そうすると、既に膨脹保持されているマッサージ用空気袋１４が身体Ｂに強く押付けられるので、その圧迫状態から使用者はフィット感を判断して、適当なところで、第２の身体サポート用空気袋１２への給気を停止して膨脹状態に保持する。この状態は図４（Ｃ）に示される。そして、この後に前記電磁弁３６を開くことによってフィット感の調節を完了する。なお、この点以外の構成は、図４に示されない構成を含めて前記第１実施形態と同じである。
【００５１】
したがって、この第２実施形態においても、第１実施形態と同様な作用を得て本発明の課題を達成できる。
【００５２】
図５は本発明の参考例を示している。この参考例は基本的には前記第１実施形態と同様な構成であるので、同様構成部分には前記第１実施形態と同じ符号を付して、その構成および作用の説明を省略し、以下異なる部分について説明する。参考例が第１実施形態と異なる部分は、第２の身体サポート用空気袋１２に対してマッサージ用空気袋１４を取付けた点である。
【００５３】
すなわち、この参考例において第２の身体サポート用空気袋１２は、単一ではなく、使用者の身体Ｂの例えば腰部に対応して互いに接近して一対使用されているとともに、これらの空気袋１２にわたって支持プレート１８が取付けられている。支持プレート１８は両空気袋１２のシートカバー６側の面に接着されており、このプレート１８のシートカバー６と対向する面には、単一のマッサージ用空気袋１４が両身体サポート用空気袋１２に対して重なり合わないように位置をずらして、両身体サポート用空気袋１２間に位置されるように取付けられている。又、図示しない第２の空気導管の先端側は二股状に分岐されていて、それらの分岐端は一対の第２の身体サポート用空気袋１２に夫々接続されている。なお、この点以外の構成は、図５に示されない構成を含めて前記第１実施形態と同じである。
【００５５】
【発明の効果】
本発明は、以上説明したような形態で実施され、以下に記載されるような効果を奏する。
【００５６】
請求項１に記載の発明によれば、身体サポート用空気袋を身体受け面側に膨脹させるとともにその膨脹状態を保持することによって、使用者の体格に応じたフィット感を使用者に与えるようにマッサージ機本体の身体受け面を使用者側に押出して保持できるから、身体サポート用空気袋の膨脹保持により非マッサージ状態での使用感を向上できるとともに、マッサージ用空気袋の膨脹・収縮に邪魔されることなく、容易かつ適正なフィット感を得ることができ、しかも、身体サポート用空気袋の膨脹加減に応じてマッサージの強さを好みに合わせて調整可能なエアーマッサージ機を提供できる。
【００６０】
更に、請求項１の発明によれば、身体サポート用空気袋とマッサージ用空気袋との間に、これら両袋同士が直接擦れ合うことがないようにする緩衝シートを設けたので、両空気袋同士の擦れ合いによる耳障りな音の発生を防止して、快適に使用可能である。
【図面の簡単な説明】
【図１】本発明の第１の実施の形態に係る椅子式のエアーマッサージ機全体をそのシートカバーの一部を切り欠いて示す斜視図。
【図２】（Ａ）〜（Ｃ）は第１実施形態の要部を夫々異なる状態において図１中Ｚ−Ｚ線に沿って示す断面図。
【図３】図１のエアーマッサージ機の制御系統を示すブロック図。
【図４】（Ａ）〜（Ｃ）は本発明の第２の実施の形態に係る椅子式のエアーマッサージ機の要部を夫々異なる状態において示す前記図２相当の断面図。
【図５】  （Ａ）〜（Ｃ）は本発明の参考例に係る椅子式のエアーマッサージ機の要部を夫々異なる状態において示す前記図２相当の断面図。
【符号の説明】
Ａ…エアーマッサージ機
１…椅子本体（マッサージ機本体）
２…座部
３…背凭れ部
５、６…シートカバー（身体受け面）
１１…第１の身体サポート用空気袋
１２…第２の身体サポート用空気袋
１３…第３の身体サポート用空気袋
１４…マッサージ用空気袋
１７…緩衝シート
２１…エアー給排気装置
３３…電磁弁（膨脹保持手段）
Ｂ…身体
【図１】
0003819647.tif 000002
【図２】
0003819647.tif 000003
【図３】
0003819647.tif 000004
【図４】
0003819647.tif 000005
【図５】
0003819647.tif 000006